(57)【要約】【課題】定着部が使用可能となるまでの時間を短くすることができる。【解決手段】記録媒体に形成されたトナー画像を加熱し、前記トナー画像を前記記録媒体に定着するベルト定着ユニットと、定着ユニットに設けられ、定着ユニットを加熱する加熱装置１２と、定着ユニットを制御する定着制御部２１ｂと、加熱装置１２を制御するサブ定着制御部４１と、ＡＣ２５の出力電力から定電圧を生成するＡＣ／ＤＣコンバータ２４と、充放電が可能な蓄電部２６と、通常動作時よりも消費電力が少ない省エネモードが解除された後、ＡＣ／ＤＣコンバータ２４が生成する生成電力の電圧が所定の電圧になるまでの間、蓄電部２６の蓄電力を加熱装置１２へ出力する蓄電力供給回路３５と、を備えた。【選択図】        図８
2010072055.tif 000002
【特許請求の範囲】
【請求項１】
記録媒体に形成されたトナー画像を加熱し、前記トナー画像を前記記録媒体に定着する定着手段と、
前記定着手段に設けられ、前記定着手段を加熱する加熱手段と、
前記定着手段を制御する定着制御手段と、
前記加熱手段を制御する加熱制御手段と、
商用電源の出力電力から定電圧を生成する第１の定電圧生成手段と、
充放電が可能な蓄電手段と、
通常動作時よりも消費電力が少ない省エネモードが解除された後、前記第１の定電圧生成手段が生成する生成電力の電圧が所定の電圧になるまでの間、前記蓄電手段の蓄電力を前記加熱制御手段へ出力する出力切替え手段と、を備えたこと、
を特徴とする画像形成装置。
【請求項２】
前記出力切替え手段は、前記省エネモードが解除された後、前記第１の定電圧生成手段が生成する生成電力の電圧が所定の電圧になるまでの間、前記蓄電手段の蓄電力を、さらに、前記定着制御手段へ出力すること、
を特徴とする請求項１に記載の画像形成装置。
【請求項３】
前記出力切替え手段は、前記第１の定電圧生成手段が生成する生成電力の電圧が所定の電圧になると、前記第１の定電圧生成手段の生成電力を前記定着制御手段へ出力すること、
を特徴とする請求項１または２に記載の画像形成装置。
【請求項４】
前記出力切替え手段は、前記省エネモードが解除される前にも、前記蓄電手段の蓄電力を、前記加熱制御手段へ出力すること、
を特徴とする請求項１から３のいずれか一項に記載の画像形成装置。
【請求項５】
前記蓄電手段の蓄電力を所定の電圧に定電圧化する第２の定電圧生成手段をさらに備え、
前記出力切替え手段は、前記省エネモードが解除された後、前記第１の定電圧生成手段が生成する生成電力の電圧が所定の電圧になるまでの間、前記第２の定電圧生成手段の生成電力を前記加熱制御手段へ出力すること、
を特徴とする請求項１に記載の画像形成装置。
【請求項６】
前記加熱手段の一部は、直流電力により加熱される直流ヒータであり、
前記出力切替え手段は、前記省エネモードが解除された後、前記第１の定電圧生成手段が生成する生成電力の電圧が所定の電圧になるまでの間、前記蓄電手段の蓄電力を、さらに、前記直流ヒータへ出力すること、
を特徴とする請求項１から５のいずれか一項に記載の画像形成装置。
【請求項７】
前記直流ヒータへ出力される前記蓄電手段の蓄電力の電圧値を監視する電圧監視手段をさらに備えたこと、
を特徴とする請求項６に記載の画像形成装置。
【請求項８】
モーターやファン等の負荷である駆動系負荷をさらに備え、
前記出力切替え手段は、前記省エネモードが解除された後、前記第１の定電圧生成手段が生成する生成電力の電圧が所定の電圧になるまでの間、前記蓄電手段の蓄電力を、さらに、前記駆動系負荷へ出力すること、
を特徴とする請求項１から７のいずれか一項に記載の画像形成装置。
【請求項９】
記録媒体に形成されたトナー画像を加熱し、前記トナー画像を前記記録媒体に定着する定着手段と、
前記定着手段に設けられ、前記定着手段を加熱する加熱手段と、
前記定着手段を制御する定着制御手段と、
商用電源の出力電力から定電圧を生成する第１の定電圧生成手段と、
充放電が可能な蓄電手段と、
通常動作時よりも消費電力が少ない省エネモードが解除された後、前記第１の定電圧生成手段が生成する生成電力の電圧が所定の電圧になるまでの間、前記蓄電手段の蓄電力を前記定着制御手段へ出力する出力切替え手段と、を備えたこと、
を特徴とする画像形成装置。
【請求項１０】
前記出力切替え手段は、前記第１の定電圧生成手段が生成する生成電力の電圧が所定の電圧になると、前記第１の定電圧生成手段の生成電力を前記定着制御手段へ出力すること、
を特徴とする請求項９に記載の画像形成装置。
【請求項１１】
前記蓄電手段の蓄電力を所定の電圧に定電圧化する第２の定電圧生成手段をさらに備え、
前記出力切替え手段は、前記省エネモードが解除された後、前記第１の定電圧生成手段が生成する生成電力の電圧が所定の電圧になるまでの間、前記第２の定電圧生成手段の生成電力を前記定着制御手段へ出力すること、
を特徴とする請求項９に記載の画像形成装置。
【請求項１２】
前記加熱手段の一部は、直流電力により加熱される直流ヒータであり、
前記出力切替え手段は、前記省エネモードが解除された後、前記第１の定電圧生成手段が生成する生成電力の電圧が所定の電圧になるまでの間、前記蓄電手段の蓄電力を、さらに、前記直流ヒータへ出力すること、
を特徴とする請求項９から１１のいずれか一項に記載の画像形成装置。
【請求項１３】
前記直流ヒータへ出力される前記蓄電手段の蓄電力の電圧値を監視する電圧監視手段をさらに備えたこと、
を特徴とする請求項１２に記載の画像形成装置。
【請求項１４】
モーターやファン等の負荷である駆動系負荷をさらに備え、
前記出力切替え手段は、前記省エネモードが解除された後、前記第１の定電圧生成手段が生成する生成電力の電圧が所定の電圧になるまでの間、前記蓄電手段の蓄電力を、さらに、前記駆動系負荷へ出力すること、
を特徴とする請求項９から１３のいずれか一項に記載の画像形成装置。
【発明の詳細な説明】
【技術分野】
【０００１】
本発明は、充放電が可能な蓄電部を備えた画像形成装置に関する。
【背景技術】
【０００２】
従来、複写機、プリンタ、ファクシミリ、および、それらの機能を複合化した装置等の画像形成装置が開発されている。そして、画像形成装置は、通常、記録媒体上にトナー画像を形成する画像形成部、および、トナー画像が形成された記録媒体を加圧および加熱してトナー画像の定着を行う定着装置を備えている。
【０００３】
この定着装置には、記録媒体を加熱するための定着部材、例えば定着ローラが設けられており、この定着ローラは、商用電源からの電力により発熱するヒータ（加熱ヒータ）によって所定の温度に加熱される。
【０００４】
このため、省エネモードが解除された後、定着ローラが所定の温度になるまでの時間画像形成を行うことができない。これはコピーの生産性を低下させてしまう。またこの待ち時間が画像形成装置使用者の不満にもなっている。
【０００５】
このような問題を解決するために、例えば、特許文献１では、プログラムを有した制御部とは別に、定着装置の加熱ヒータに電力を供給する回路と低温検知回路とを設け、省エネモードが解除された後、加熱ヒータの温度が閾値温度より低い場合には、制御部からの制御を待たずに当該電力供給回路から加熱ヒータへ電力供給することが可能な画像形成装置が開示されている。
【０００６】
【特許文献１】特開２００６−５８８２４号公報
【発明の開示】
【発明が解決しようとする課題】
【０００７】
しかしながら、制御部から直接、定着装置の加熱ヒータを制御したい場合、制御部は商用電源を安定化した定電圧電源から電力を供給されることにより動作しているため、省エネモードが解除された後、定電圧電源が立ち上がり、定電圧電源からの供給電圧が制御部で動作可能となる電圧になるまでの待ち時間（電源立ち上がり時間）が必要となる。
【０００８】
一方、電子機器を使用する場合に、使用者が不満を感じない待ち時間は３秒以内であるという調査結果がある。
【０００９】
本発明は、上記に鑑みてなされたものであって、省エネモード解除時の定電圧電源の立ち上がり時に、定着装置が使用可能となるまでの時間を短くすることができる画像形成装置を提供することを目的としている。
【課題を解決するための手段】
【００１０】
上述した課題を解決し、目的を達成するために、本発明にかかる画像形成装置は、記録媒体に形成されたトナー画像を加熱し、前記トナー画像を前記記録媒体に定着する定着手段と、前記定着手段に設けられ、前記定着手段を加熱する加熱手段と、前記定着手段を制御する定着制御手段と、前記加熱手段を制御する加熱制御手段と、商用電源の出力電力から定電圧を生成する第１の定電圧生成手段と、充放電が可能な蓄電手段と、通常動作時よりも消費電力が少ない省エネモードが解除された後、前記第１の定電圧生成手段が生成する生成電力の電圧が所定の電圧になるまでの間、前記蓄電手段の蓄電力を前記加熱制御手段へ出力する出力切替え手段と、を備えたこと、を特徴とする。
【００１１】
また、本発明にかかる画像形成装置は、記録媒体に形成されたトナー画像を加熱し、前記トナー画像を前記記録媒体に定着する定着手段と、前記定着手段に設けられ、前記定着手段を加熱する加熱手段と、前記定着手段を制御する定着制御手段と、商用電源の出力電力から定電圧を生成する第１の定電圧生成手段と、充放電が可能な蓄電手段と、通常動作時よりも消費電力が少ない省エネモードが解除された後、前記第１の定電圧生成手段が生成する生成電力の電圧が所定の電圧になるまでの間、前記蓄電手段の蓄電力を前記定着制御手段へ出力する出力切替え手段と、を備えたこと、を特徴とする。
【発明の効果】
【００１２】
本発明によれば、出力切替え手段が、省エネモードが解除された後、第１の定電圧生成手段が生成する生成電力の電圧が所定の電圧になるまでの間、蓄電手段の蓄電力を加熱制御手段に出力することができるので、第１の定電圧生成手段の立ち上げ完了を待たずに、加熱制御手段が起動し、加熱制御手段による加熱装置の加熱を開始することができ、定着手段が使用可能になるまでの時間を短くすることができるという効果を奏する。
【００１３】
また、本発明によれば、出力切替え手段が、省エネモードが解除された後、第１の定電圧生成手段が生成する生成電力の電圧が所定の電圧になるまでの間、蓄電手段の蓄電力を定着制御手段に出力することができるので、第１の定電圧生成手段の立ち上げ完了を待たずに、定着制御手段が起動し、定着制御手段による加熱装置の加熱を開始することができ、定着手段が使用可能になるまでの時間を短くすることができるという効果を奏する。
【発明を実施するための最良の形態】
【００１４】
以下に添付図面を参照して、この発明にかかる画像形成装置の最良な実施の形態を詳細に説明する。
【００１５】
（第１の実施の形態）
図１は、第１の実施の形態にかかる画像形成装置のシステム構成を示すブロック図である。画像形成装置は、コントローラ制御部１、エンジン制御部２、スキャナ制御部３、書き込み制御部４、操作制御部５、ＨＤＤ制御部６、ＬＡＮインターフェース回路７、および、電源電圧監視回路８を備えて構成されている。
【００１６】
コントローラ制御部１は、画像形成装置の全体を制御する。コントローラ制御部１には、画像形成装置の全体制御を行うＣＰＵ１ａ、システムコントローラボードの制御を行うＲＯＭ（図示せず）、ＣＰＵ１ａが使用する作業用メモリであるＲＡＭ（図示せず）、リチウム電池と時計とを内臓し、ＲＡＭのバックアップを行うＮＶ−ＲＡＭ（図示せず）、システムコントローラボードのシステバス制御、フレームメモリー制御、ＦＩＦＯ等のＣＰＵ周辺を制御するＡＳＩＣ（図示せず）、および、そのインターフェース回路（図示せず）等が搭載されている。
【００１７】
エンジン制御部２は、汎用ＰＣＩバスでコントローラ制御部１に接続され、画像形成動作を行う。エンジン制御部２には、主に画像形成制御を行うＣＰＵ２ａ、ＣＰＵ２ａに内部バスで接続され、画像形成装置の入出力を制御する入出力ボード２ｂ、シリアルコントローラ（図示せず）、Ａ／Ｄコンバータ（図示せず）、割り込み制御回路（図示せず）、ＮＶ−ＲＡＭ（図示せず）及びＲＯＭ（図示せず）、ＲＡＭ（図示せず）、タイマー（図示せず）等が搭載されている。
【００１８】
スキャナ制御部３は、コピー原稿（画像）を光学的に読み込む。書き込み制御部４は、画像データーをドラム上に書き込む。操作制御部５は、画像形成装置の操作を制御する。操作制御部５は、具体的には、ＣＰＵ５ａを有しており、ＣＰＵ５ａはコントローラ制御部１のＣＰＵ１ａに接続され、使用者がパネル（図示せず）を操作してシステム設定を入力し、または、使用者にシステムの設定内容をパネルで表示することにより、画像形成装置の操作を制御する。
【００１９】
ＨＤＤ制御部６は、画像データを記憶する。ＬＡＮインターフェース回路７は、コントローラ制御部１と社内ＬＡＮとの通信インターフェースボードであり、外部との通信を行う。電源電圧監視回路８は、電源電圧の瞬断・瞬低時または電源ＯＮ時にパワーオン・リセット信号を発生する電源電圧監視回路である。
【００２０】
主電源が投入され、電力が電源電圧監視回路８に供給されると、電源電圧監視回路８はパワーオン時のリセット信号９をコントローラ制御部１のＣＰＵ１ａおよび周辺回路、エンジン制御部２のＣＰＵ２ａおよび周辺回路、操作制御部５のＣＰＵ５ａおよび周辺回路に出力する。このリセット信号９により各ＣＰＵは周辺回路の初期設定動作および起動動作を行う。
【００２１】
また、図１には図示されていないが、画像形成装置は、トナー画像が形成された記録媒体を加圧および加熱してトナー画像の定着を行うベルト定着ユニット（定着部）１０も備えている。図２は、ベルト定着ユニット１０の構成の概略を示す図である。ベルト定着ユニット１０には、加熱ローラ１１を加熱するため、加熱装置１２が備えられている。そして、加熱装置１２には、ＡＣ電力で加熱するＡＣヒータ１３およびＤＣ電力で加熱するＤＣヒータ１４がある。本例では、ＡＣヒータ１３およびＤＣヒータ１４はハロゲンヒータを用いているが、加熱ローラ１１を加熱するものであればどのようなものでもよい。なお、ＡＣヒータ１３へのＡＣ電力の供給は、後述するＡＣ２５から行われ、ＤＣヒータ１４へのＤＣ電力の供給は、後述するＡＣ／ＤＣコンバータ２４から行われる。
【００２２】
また、加熱ローラ１１、定着ローラ１５、および、加圧ローラ１６には、それぞれ各ローラの温度を検知するために温度検知センサ１７が備えられており、その温度データより、ＡＣヒータ１３およびＤＣヒータ１４の点灯（電力の供給）が制御される。
【００２３】
さらに、図２には図示されていないが、画像形成装置は、加熱装置１２（ＡＣヒータ１３およびＤＣヒータ１４）を制御するため、加熱装置制御部１８も備えている。加熱装置制御部１８は、通常、リレーやトライアックなどのヒータ駆動素子から構成されており、リレーをスイッチとして使用することにより（オン／オフすることにより）、加熱装置１２（ＡＣヒータ１３およびＤＣヒータ１４）への電力供給を制御する（電力を接続／遮断する）。本例では、リレーを介した後の加熱装置１２への電力供給はトライアックを用いている。なお、加熱装置制御部１８にリレーやトライアック以外の他の素子を使用することも可能である。
【００２４】
実際には、ＡＣ２５からの出力は、加熱装置制御部１８内のリレーの入力側と接続されており、リレーがオンするとＡＣヒータ１３へＡＣ電力が供給されるようになっている。またＡＣ／ＤＣコンバータ２４からの出力も加熱装置制御部１８内のリレーの入力側と接続されており、ＡＣ／ＤＣコンバータ２４がＤＣ電力を供給している状態でリレーがオンするとＤＣヒータ１４へＤＣ電力が供給されるようになっている。なお、後述する画像形成装置制御部２１内の定着制御部２１ｂが起動し、加熱装置制御部１８へ指示が出ていない限り、加熱装置制御部１８内のリレーは、オフの状態のままである。加熱装置制御部１８は、加熱装置１２内に設けられることが多いが、エンジン制御部２などに設けられてもよい。
【００２５】
図３は、本実施の形態にかかる画像形成装置における電力供給を示す機能図である。なお、本実施の形態および以後説明する他の実施の形態では、省エネモードから通常モードへ移行する際の画像形成装置制御部２１（定着制御部２１ｂ）および加熱装置１２への電力供給を中心に説明する。
【００２６】
本実施の形態にかかる画像形成装置では、後述する省エネモード解除信号３６により、定電圧回路（ＡＣ／ＤＣコンバータ２４）の立ち上げを開始すると同時に、蓄電部２６に蓄電された電圧を定電圧生成回路３１で定電圧化し、画像形成装置制御部２１（定着制御部２１ｂ）への電力供給を開始する。そして、ＡＣ／ＤＣコンバータ２４の立ち上げ完了を待たずに、画像形成装置制御部２１（定着制御部２１ｂ）が起動し、加熱装置制御部１８へ加熱制御信号３９を送信し、加熱装置制御部１８が加熱装置１２（ＡＣヒータ１３）への電力供給を開始し、ベルト定着ユニット１０が使用可能になるまでの時間を早くすることができる。以下、各部について説明する。
【００２７】
画像形成装置制御部２１は、前述したコントローラ制御部１、エンジン制御部２、スキャナ制御部３、および、書き込み制御部４を便宜的にまとめて一つにしたものであり、以後の説明では、画像形成装置制御部２１に統一して説明する。画像形成装置制御部２１は、省エネ制御部２１ａおよび定着制御部２１ｂを備えて構成されている。省エネ制御部２１ａは、省エネモード時に画像形成装置を制御する。
【００２８】
定着制御部２１ｂは、ベルト定着ユニット１０全体を制御する。定着制御部２１ｂは、その制御の一つとして、加熱装置制御部１８を制御し、加熱装置１２（ＡＣヒータ１３およびＤＣヒータ１４）への電力供給を制御する。なお、定着制御部２１ｂは、ベルト定着ユニット１０を制御するための全ての制御情報を記憶部（図示せず）に記憶している。
【００２９】
また、定着制御部２１ｂは、温度検知センサ１７からのフィードバック信号により加熱装置１２の高温を検知する検知回路を備えている。図４は、検知回路の回路図を示した図である。検知回路は、温度検知センサ１７からのフィードバック信号により加熱装置１２が高温になっていることを検知すると、加熱装置制御部１８内のリレーをオフするように、加熱装置制御部１８へ回路遮断信号（加熱制御信号３９）を送信するとともに、画像形成装置制御部２１内の他の部分へ高温検知信号を送信する。
【００３０】
ＡＤＦ制御部２２は、自動原稿送り装置（ＡＤＦ）を制御する。駆動系負荷２３は、駆動系、例えば、モーターやファン等の負荷である。
【００３１】
ＡＣ／ＤＣコンバータ（定電圧回路）２４は、通常モード時には、商用交流電源であるＡＣ２５からの交流電圧を所定の直流電圧に変換し安定化し、後段の負荷に供給する。ＡＣ／ＤＣコンバータ２４は、外部からの信号により省エネモードに入り、省エネモード時に必要な負荷のみに電力を供給する機能と、外部からの信号により省エネモードを解除して、通常モード時に必要な負荷に電力を供給する機能も有している。なお、ＡＣ／ＤＣコンバータ２４から電力の供給を受ける負荷とは、具体的には、操作制御部５、ＨＤＤ制御部６、ＬＡＮインターフェース回路７、ＤＣヒータ１４、画像形成装置制御部２１、ＡＤＦ制御部２２、および、駆動系負荷２３である。なお、図３では、省略のため、駆動系負荷２３のみに供給されているように描かれている。ＡＣ／ＤＣコンバータ２４は、ＡＣ２５から入力される電力の力率を改善する力率改善回路を内蔵している。
【００３２】
蓄電部２６は、電気（電力）を蓄えるとともに、蓄えた電気（電力）を放電する。蓄電部２６は、電気２重層コンデンサーを複数個直列に接続したキャパシタバンクを使用している。ここで、個々の電気２重層コンデンサーをセルと呼ぶ。なお、キャパシタバンクは、ＡＣ／ＤＣコンバータ２４の立ち上がり時に、電力を負荷に十分供給できる容量のセル構成となっている。また、蓄電部２６は、図示しないが、電気２重層コンデンサー個々のセルが満充電になると充電をバイパスするバイパス回路、前記セルのいずれかが満充電になると単セル満充電信号を発生する回路、および、全ての電気２重層コンデンサーが満充電になると全セル満充電信号を発生する回路を有した均等化回路を備えている。
【００３３】
充電電圧検出回路２７は、キャパシタバンクに充電された電圧を検出する。充電電圧検出回路２７は、抵抗で構成された分割回路で構成され、キャパシタバンクの端子間電圧を検出する。そして、充電電圧検出回路２７の出力は、後述する充電制御回路２９に入力される。
【００３４】
充電電流検出回路２８は、キャパシタバンクに充電する時の電流を検出する。充電電流検出回路２８は、キャパシタバンクと直列に接続された抵抗を流れる電流を端子間電圧として検出する。そして、充電電流検出回路２８の出力は、充電制御回路２９に入力される。
【００３５】
充電制御回路２９は、充電電圧検出回路２７の出力と充電電流検出回路２８の出力とを検出することにより、蓄電部２６に対して、定電流充電、定電力充電、および、定電圧充電を行う。充電制御回路２９は、ＡＣ２５からの商用交流電力をキャパシタバンクに充電するための直流電圧を生成する回路と、この出力電圧を制御する出力電圧制御回路とを備えて構成されている。なお、本実施の形態では、充電制御回路２９は、商用交流電力をＡＣ／ＤＣコンバータ２４の前段から蓄電部２６に充電している。
【００３６】
充電制御回路２９による蓄電部２６への充電は、以下の様に行われる。初めに、充電制御回路２９は、キャパシタバンクの端子間電圧を充電電圧検出回路２７の出力により検出し、キャパシタバンクの端子間電圧が、あらかじめ設定された電圧値より低い場合には、充電電圧検出回路２７の電圧の検出を逐次行い、検出した充電電圧に対応するあらかじめ設定された電流値で定電流充電を行う。
【００３７】
次に、充電制御回路２９は、キャパシタバンクの端子間電圧が、あらかじめ設定された電圧値以上になると、定電力充電を行うためにキャパシタバンクの充電電流の検出と、キャパシタバンクの端子間電圧の検出とを逐次行ない、検出した充電電流と充電電圧とに対応するあらかじめ設定された電力値で定電力充電を行う。
【００３８】
次に、充電制御回路２９は、均等化回路から出力される、いずれかの単セル満充電信号を検出すると、再びあらかじめ設定された電流値で定電流充電を行う。なお、この定電流充電は前記した定電流充電より低い電流で充電を行う。最後に、充電制御回路２９は、全てのキャパシタセルの満充電信号を検出すると、一定期間、あらかじめ設定された電圧値で定電圧充電を行い、その後充電動作を停止する。
【００３９】
なお、上述した充電は、充電指示信号３０が画像形成装置制御部２１から充電制御回路２９へ送信されることにより開始されるが、実際には、画像形成装置が画像形成動作を実行しておらず、電力的に余裕がある時に行われる。
【００４０】
定電圧生成回路３１は、省エネモードからの復帰時に、蓄電部２６から放電された直流電圧を所定の直流電圧に変圧し、後述する蓄電力供給回路３５を介して後段の負荷に供給する。なお、定電圧生成回路３１から電力の供給を受ける負荷とは、具体的には、操作制御部５、ＨＤＤ制御部６、ＬＡＮインターフェース回路７、画像形成装置制御部２１、および、ＡＤＦ制御部２２である。なお以後は、説明を容易にするため、画像形成装置制御部２１のみに対する電力供給のみについて説明する。従って、図３では、定電圧生成回路３１からの電力は、画像形成装置制御部２１のみに供給されているように描かれている。
【００４１】
ＡＤＦ原稿検知スイッチ３２は、自動原稿送り装置（ＡＤＦ）に設けられており、原稿トレイに原稿が挿入されると原稿がセットされたことを検知する。具体的には、原稿トレイに原稿が挿入されると、原稿はその先端が原稿ストッパに突き当たられた状態でセットされるとともに、ＡＤＦ原稿検知スイッチ３２のフィラが持ち上げられることにより、原稿セットが検知される。ＡＤＦ原稿検知スイッチ３２による検知信号は、省エネ制御部２１ａへ送信されるとともに、ダイオードＤ５を介して、ＡＣ／ＤＣコンバータ２４および後述する蓄電力供給回路３５のトランジスタ３５ａのベースへ送信される。
【００４２】
圧板開放検知スイッチ３３は、ＡＤＦの圧板に設けられており、ＡＤＦの圧板が開放されるとその開放を検知する。具体的には、圧板が開放されると圧板開放検知スイッチ３３である透過型センサーの受光素子の遮蔽が解除され、圧板開放が検知される。圧板開放検知スイッチ３３による検知信号は、省エネ制御部２１ａへ送信されるとともに、ダイオードＤ４を介して、ＡＣ／ＤＣコンバータ２４および後述する蓄電力供給回路３５のトランジスタ３５ａのベースへ送信される。
【００４３】
省エネ解除スイッチ３４は、操作部に設けられており、使用者により省エネ解除スイッチ３４が押下げされると省エネ解除の要求がされたことを検知する。省エネ解除スイッチ３４による検知信号は、省エネ制御部２１ａへ送信されるとともに、ダイオードＤ３を介して、ＡＣ／ＤＣコンバータ２４および後述する蓄電力供給回路３５のトランジスタ３５ａのベースへ送信される。
【００４４】
蓄電力供給回路３５は、省エネモードからの復帰時に、定電圧生成回路３１からの出力を画像形成装置制御部２１（後段の負荷）に供給する。蓄電力供給回路３５は、トランジスタ３５ａ、抵抗Ｒ１およびＲ２、および、ダイオードＤ１で構成されている。そして、トランジスタ３５ａのエミッタには、定電圧生成回路３１からの出力が入力されるようになっている。
【００４５】
また、トランジスタ３５ａのベースには、前述したように、ＡＤＦ原稿検知スイッチ３２、圧板開放検知スイッチ３３、および、省エネ解除スイッチ３４による検知信号、および、ダイオードＤ６を介してＬＡＮインターフェース回路７からの連絡信号が入力されるようになっている。ここで、これらの検知信号および連絡信号を、まとめて、省エネモード解除信号３６と呼ぶ。
【００４６】
また、トランジスタ３５ａのコレクタには、ダイオードＤ１を介して、画像形成装置制御部２１（後段の負荷）が接続されている。
【００４７】
そして、省エネモード解除信号３６がトランジスタ３５ａのベースに入力されると、トランジスタ３５ａがオンし、定電圧生成回路３１からの出力がエミッタからコレクタへ流れる。さらに、定電圧生成回路３１からの出力は、ダイオードＤ１を介して、画像形成装置制御部２１（後段の負荷）に供給される。
【００４８】
（省エネモード解除時の電力供給）
次に、省エネモードから通常モードへ移行する場合の電力供給の仕組みについて説明する。図５は、省エネモードから通常モードへ移行する場合の電力供給の仕組みを説明するフローチャートの一例である。省エネモード時には、ＡＣ／ＤＣコンバータ２４は、ＬＡＮインターフェース回路７、省エネ制御部２１ａ、ＡＤＦ原稿検知スイッチ３２、圧板開放検知スイッチ３３、および、省エネ解除スイッチ３４のみに省エネモード電力３７を供給している。
【００４９】
初めに、画像形成装置の省エネモードが解除される（ステップＳ１０１）。具体的には、省エネモード解除信号３６が、省エネ制御部２１ａ、ＡＣ／ＤＣコンバータ２４、および、蓄電力供給回路３５へ送信されると、省エネモードが終了し、画像形成装置は通常モードへの移行を開始する。
【００５０】
次に、ＡＣ／ＤＣコンバータ２４の稼働と定電圧生成回路３１の変圧とを開始する（ステップＳ１０２）。具体的には、ＡＣ／ＤＣコンバータ２４は、省エネモード解除信号３６を受信すると、通常モードで必要な電力の生成を開始する。
【００５１】
また、省エネ制御部２１ａは、省エネモード解除信号３６を受信すると、定電圧生成回路３１に対して、蓄電部２６の放電電圧を所定の直流電圧に変圧を開始するように定電圧制御信号３８を送信し、定電圧生成回路３１は、定電圧制御信号３８を受信すると変圧を開始する。この時、ＡＣ／ＤＣコンバータ２４の稼働が安定し、所定の電力が生成されるまでの時間よりも、定電圧生成回路３１が蓄電部２６の放電電圧を所定の直流電圧に変圧するまでの時間の方が短い。
【００５２】
次に、蓄電力供給回路３５が画像形成装置制御部２１への電力供給を開始する（ステップＳ１０３）。具体的には、定電圧生成回路３１の出力が、蓄電力供給回路３５のトランジスタ３５ａのエミッタに到達し、さらに、蓄電力供給回路３５のトランジスタ３５ａのベースに、省エネモード解除信号３６が到達すると、トランジスタ３５ａがオンし、定電圧生成回路３１からの出力がエミッタからコレクタへ流れる。さらに、定電圧生成回路３１からの出力は、ダイオードＤ１を介して、画像形成装置制御部２１に供給される。
【００５３】
次に、画像形成装置制御部２１（定着制御部２１ｂ）は、定電圧生成回路３１からの出力が供給されると起動する（ステップＳ１０４）。
【００５４】
次に、定着制御部２１ｂは、加熱装置１２に異常が発生しているか否かを判断する（ステップＳ１０５）。具体的には、記憶部に加熱装置１２のエラー情報が記憶されているか否か、または、前回の電源オフ時の情報から加熱装置１２にエラーが発生しているか否かを判断する。そして、加熱装置１２に異常が発生していると判断した場合（ステップＳ１０５：Ｙｅｓ）、加熱装置への電力供給を中止し（ステップＳ１０６）、エラー解除待ち状態となる。
【００５５】
一方、加熱装置１２に異常が発生していないと判断した場合（ステップＳ１０５：Ｎｏ）、加熱装置への電力供給を開始する（ステップＳ１０７）。具体的には、定着制御部２１ｂは、加熱装置１２のＡＣヒータ１３への電力供給を指示する加熱制御信号３９を加熱装置制御部１８へ送信する。加熱装置制御部１８は、加熱制御信号３９を受信すると、リレーをオンし、ＡＣヒータ１３への電力供給を開始する。そして、ＡＣヒータ１３により加熱ローラ１１が十分に加熱されると、ベルト定着ユニット１０の使用が可能となる。
【００５６】
ただし、定着制御部２１ｂは、ベルト定着ユニット１０を早く使用可能とするために、加熱装置制御部１８へ電力供給開始を指示する加熱制御信号３９を送信した後に、加熱装置１２に異常が発生しているか否かを判断し、異常が発生していると判断した場合には、加熱装置制御部１８へ電力供給停止を指示する加熱制御信号３９を送信してもよい。その場合には、安全に加熱装置１２が加熱できるように、エラーを判断する項目に優先順位をつけるなどの配慮が必要である。
【００５７】
次に、画像形成装置制御部２１は、加熱装置１２へ電力を供給しているか否かに関わらず、ＡＣ／ＤＣコンバータ２４の稼働が安定し、所定の電力が生成されているか否かを判断する（ステップＳ１０８）。そして、ＡＣ／ＤＣコンバータ２４の稼働が安定しておらず、所定の電力がまだ生成されていないと判断した場合（ステップＳ１０８：Ｎｏ）、定電圧生成回路３１の変圧を続ける。
【００５８】
一方、ＡＣ／ＤＣコンバータ２４の稼働が安定し、所定の電力が生成されていると判断した場合（ステップＳ１０８：Ｙｅｓ）、定電圧生成回路３１の変圧を停止する（ステップＳ１０９）。具体的には、画像形成装置制御部２１は、定電圧生成回路３１に対して、変圧を中止するように定電圧制御信号３８を送信し、定電圧生成回路３１は、定電圧制御信号３８を受信すると変圧を停止する。
【００５９】
以上のステップを経て、画像形成装置制御部２１への電力供給はＡＣ／ＤＣコンバータ２４により行われるようになり、画像形成装置は通常モードへの移行を完了する。図６は、省エネモードから通常モードへ移行する場合の各部のタイミングチャートの一例を示す図である。
【００６０】
その後、所定の時間が経過した段階で、ＡＣ／ＤＣコンバータ２４は駆動系負荷２３への出力供給を開始する。これは、制御系の電源が立ち上がる前に、駆動系の電源が立ち上がると、不必要な駆動系の動作が発生する問題があることを想定したためであるが、この問題に対処可能であれば、ＡＣ／ＤＣコンバータ２４が通常モードで必要な電力を生成した段階で、駆動系負荷２３へ出力供給を開始してもよい。
【００６１】
このように、省エネモード解除時に、通常モードで使用するＡＣ／ＤＣコンバータ２４の起動を待たずに定着制御部２１ｂが起動することが可能となり、加熱装置制御部１８に対して、ＡＣヒータ１３への電力供給制御を早く指示することが可能となる。
【００６２】
本実施の形態では、定電圧生成回路３１は省エネモード解除後に省エネ制御部２１ａからの定電圧制御信号３８を受信すると変圧を開始しているが、省エネモード中に変圧し続けていてもよい。なお、このような構成にしても、蓄電力供給回路３５のトランジスタ３５ａはオンしておらず電流は流れないので、蓄電部２６の電力はそれほど損失しない。そして、定電圧生成回路３１は、省エネ制御部２１ａから定電圧制御信号３８を受信すると、その変圧済みの出力を直ちに画像形性装置制御部２１（定着制御部２１ｂ）へ供給することができる。
【００６３】
さらに、定電圧生成回路３１は、省エネモードおよび通常モードに関わらず、常時変圧し続けていてもよい。なお、このような構成にしても、蓄電力供給回路３５のトランジスタ３５ａはオンしておらず電流は流れないので、蓄電部２６の電力はそれほど損失しない。
【００６４】
（変形例）
図７は、本実施の形態にかかる画像形成装置の電力供給の変形例を示す機能図である。変形例では定電圧生成回路３１がなく、蓄電部２６からの出力が直接蓄電力供給回路３５へ入力される構成となっている。この場合、蓄電部２６で蓄えられ、出力される電圧が、画像形成装置制御部２１で使用される電圧と同じとなるように、あらかじめ設計しておく必要がある。また変形例では、画像形成装置制御部２１は、場合により、蓄電部２６へ放電動作の開始または停止を指示する放電制御信号４０を送信する。
【００６５】
このように、第１の実施の形態にかかる画像形成装置によれば、蓄電力供給回路は、ＡＤＦ原稿検知スイッチ、圧板開放検知スイッチ、省エネ解除スイッチ、または、ＬＡＮインターフェース回路から直接、省エネモード解除信号を受信すると、ＡＣ／ＤＣコンバータが生成する生成電力の電圧が所定の電圧になるまでの間、蓄電部の蓄電力を画像形成装置制御部に出力することができるので、ＡＣ／ＤＣコンバータの立ち上げ完了を待たずに、画像形成装置制御部の定着制御部が起動し、定着制御部が加熱装置制御部へ制御信号を送信し、加熱装置制御部がＡＣヒータへの電力供給を開始することができ、ベルト定着ユニットが使用可能になるまでの時間を短くすることができる。
【００６６】
（第２の実施の形態）
第１の実施の形態では、省エネモードが解除され通常モードへ移行する場合、画像形成装置制御部内の定着制御部を起動したが、第２の実施の形態では、画像形成装置制御部とは独立したサブ定着制御部を起動する。第２の実施の形態について、添付図面を参照して説明する。本実施の形態にかかる画像形成装置の構成について、第１の実施の形態と異なる部分を説明する。他の部分については第１の実施の形態と同様であるので、同一の符号が付された箇所については、上述した説明を参照し、ここでの説明を省略する。
【００６７】
図８は、第２の実施の形態にかかる画像形成装置における電力供給を示す機能図である。本実施の形態にかかる画像形成装置では、省エネモード解除信号３６により、定電圧電源（ＡＣ／ＤＣコンバータ２４）の立ち上げを開始すると同時に、蓄電部２６に蓄電された電圧を定電圧生成回路３１で定電圧化し、サブ定着制御部４１への電力供給を開始する。そして、ＡＣ／ＤＣコンバータ２４の立ち上げ完了を待たずに、サブ定着制御部４１が起動し、加熱装置制御部１８へ加熱制御信号３９を送信し、加熱装置制御部１８が加熱装置１２（ＡＣヒータ１３）への電力供給を開始し、ベルト定着ユニット１０が使用可能になるまでの時間を早くすることができる。以下、各部について説明する。
【００６８】
サブ定着制御部４１は、加熱装置制御部１８を制御し、加熱装置１２（ＡＣヒータ１３およびＤＣヒータ１４）への電力供給を制御する。従って、定着制御部２１ｂと比べて、加熱装置１２への電力供給を制御する必要最低限の制御情報のみを記憶部（図示せず）に記憶している。このため、サブ定着制御部４１の記憶部は、定着制御部２１ｂの記憶部より記憶容量が少なくてもよい。なお、サブ定着制御部４１は、ＣＰＵやＲＯＭやＲＡＭ等のデバイスを搭載している。
【００６９】
なお、加熱装置１２が高温になっていることを検知する検知回路は、定着制御部２１ｂまたはサブ定着制御部４１のいずれかに備えられていればよいが、定着制御部２１ｂおよびサブ定着制御部４１の両方に備えられている場合は、２重で温度を監視することができ、より安全である。
【００７０】
本実施の形態では、省エネモードが解除されると、蓄電力供給回路３５は、画像形成装置制御部２１だけでなくサブ定着制御部４１へも電力供給を開始する。そして、サブ定着制御部４１は、定電圧生成回路３１からの出力が供給されると起動し、定着制御部２１ｂの代わりに、加熱装置１２への電力供給を制御する。具体的には、サブ定着制御部４１は、加熱装置１２に異常が発生しているか否かを判断し、異常が発生していないと判断した場合、加熱装置１２のＡＣヒータ１３への電力供給を指示する加熱制御信号３９を加熱装置制御部１８へ送信する。加熱装置制御部１８は、加熱制御信号３９を受信すると、リレーをオンし、ＡＣヒータ１３への電力供給を開始する。
【００７１】
そして、画像形成装置制御部２１は、ＡＣ／ＤＣコンバータ２４の稼働が安定し、所定の電力が生成されていると判断すると、定電圧生成回路３１に対して、変圧を中止するように定電圧制御信号３８を送信し、定電圧生成回路３１は、定電圧制御信号３８を受信すると変圧を停止する。これにより、定電圧生成回路３１からサブ定着制御部４１への電力供給も停止するため、サブ定着制御部４１は停止し、その後のベルト定着ユニット１０の制御は、定着制御部２１ｂにより行われる。
【００７２】
なお、定電圧生成回路３１が変圧を中止する前に、画像形成装置制御部２１からサブ定着制御部４１へ停止信号４２を送信することにより、サブ定着制御部４１を停止してもよい。この場合、例えば、サブ定着制御部４１内にトランジスタ（図示せず）を設け、停止信号４２を受信したトランジスタのスイッチ機能によりサブ定着制御部４１を停止することができる。
【００７３】
なお、省エネモードから通常モードへ移行する場合の電力供給のその他の仕組みについては、第１の実施の形態と同様であるので、説明を省略する。
【００７４】
このように、第２の実施の形態にかかる画像形成装置によれば、蓄電力供給回路は、省エネモード解除信号を受信すると、ＡＣ／ＤＣコンバータが生成する生成電力の電圧が所定の電圧になるまでの間、蓄電部の蓄電力をサブ定着制御部に出力することができるので、ＡＣ／ＤＣコンバータの立ち上げ完了を待たずに、サブ定着制御部が起動し、サブ定着制御部が加熱装置制御部へ制御信号を送信し、加熱装置制御部がＡＣヒータへの電力供給を開始することができ、ベルト定着ユニットが使用可能になるまでの時間を短くすることができる。
【００７５】
（第３の実施の形態）
第３の実施の形態では、画像形成装置制御部から蓄電力供給回路へ、蓄電力供給回路のオンまたはオフを制御することが可能な信号を送信し、省エネモード時でも、定電圧生成回路３１からの電力を、常時または一定周期、サブ定着制御部へ供給する。第３の実施の形態について、添付図面を参照して説明する。本実施の形態にかかる画像形成装置の構成について、第２の実施の形態と異なる部分を説明する。他の部分については第２の実施の形態と同様であるので、同一の符号が付された箇所については、上述した説明を参照し、ここでの説明を省略する。
【００７６】
図９は、第３の実施の形態にかかる画像形成装置における電力供給を示す機能図である。本実施の形態にかかる画像形成装置では、画像形成装置制御部２１（省エネ制御部２１ａ）から蓄電力供給回路３５のトランジスタ３５ａのベースに、蓄電力供給信号４３を送信することができる設計となっている。
【００７７】
そのため、定電圧生成回路３１が常時変圧し続けている場合、省エネモード時でも、省エネ制御部２１ａが蓄電力供給信号４３を、常時または一定周期、トランジスタ３５ａのベースに送信すると、トランジスタ３５ａがオンし、定電圧生成回路３１からの出力がサブ定着制御部４１へ送られ、サブ定着制御部４１は起動し、加熱装置１２の電力供給の制御が可能となる。これは、蓄電部２６が放電可能な状態である限り可能である。
【００７８】
図１０は、蓄電力供給信号４３が一定周期で送信されている場合のトランジスタ３５ａとサブ定着制御部４１の関係の一例を示す図である。ここで、トランジスタ３５ａがオンしている期間とオフしている期間は、蓄電部２６の蓄電力に合わせて変更可能である。
【００７９】
また、蓄電部２６の蓄電力が大きい場合には、省エネモード時は常にサブ定着制御部４１に電力を供給しておくことが可能であるが、この場合、サブ定着制御部４１が加熱装置１２に異常が発生しているか否かを判断する必要がないので、加熱装置１２の電力供給の制御がより早く可能となる。
【００８０】
そして、サブ定着制御部４１が起動している間に、省エネモードが解除されると、サブ定着制御部４１は初期化時間を必要とすることなく、直ちに加熱装置１２へ電力供給の開始を指示することができる。図１１は、省エネモードから通常モードへ移行する場合の各部のタイミングチャートの一例を示す図である。
【００８１】
また、画像形成装置制御部２１は、ＡＣ／ＤＣコンバータ２４の稼働が安定し、所定の電力が生成されていると判断した際には、画像形成装置制御部２１から蓄電力供給回路３５へ蓄電力供給信号４３を送信することにより、蓄電力供給回路３５を停止することができる。
【００８２】
なお、省エネモードから通常モードへ移行する場合の電力供給のその他の仕組みについては、第１の実施の形態と同様であるので、説明を省略する。
【００８３】
このように、第３の実施の形態にかかる画像形成装置によれば、省エネモード時でも、画像形成装置制御部が蓄電力供給信号を送信することにより、蓄電力供給回路は蓄電部の蓄電力をサブ定着制御部に出力し、サブ定着制御部が起動することができるので、省エネモードの解除とともにサブ定着制御部が加熱装置制御部へ制御信号を送信し、加熱装置制御部がＡＣヒータへの電力供給を開始することができ、ベルト定着ユニットが使用可能になるまでの時間を短くすることができる。
【００８４】
（第４の実施の形態）
第４の実施の形態では、省エネモードが解除され通常モードへ移行する場合、ＡＣ／ＤＣコンバータが立ち上がるまでの間、蓄電部の蓄電力を、サブ定着制御部へ供給するだけでなく、加熱装置のＤＣヒータへも供給する。第４の実施の形態について、添付図面を参照して説明する。本実施の形態にかかる画像形成装置の構成について、第２の実施の形態と異なる部分を説明する。他の部分については第２の実施の形態と同様であるので、同一の符号が付された箇所については、上述した説明を参照し、ここでの説明を省略する。
【００８５】
図１２は、第４の実施の形態にかかる画像形成装置における電力供給を示す機能図である。本実施の形態にかかる画像形成装置では、蓄電部２６からの出力が加熱装置制御部１８内のリレーの入力側と接続されており、蓄電部２６がＤＣ電力を供給している状態でリレーがオンするとＤＣヒータ１４への電力供給ができる設計となっている。そして、サブ定着制御部４１は、加熱装置制御部１８を制御し、加熱装置１２（ＡＣヒータ１３およびＤＣヒータ１４）への電力供給を制御する。
【００８６】
従って、本実施の形態では、省エネモードが解除されると、蓄電力供給回路３５が、画像形成装置制御部２１とサブ定着制御部４１へ電力供給を開始する。そして、サブ定着制御部４１は、定電圧生成回路３１からの出力が供給されると起動し、加熱装置１２への電力供給を制御する。具体的には、サブ定着制御部４１は、加熱装置１２に異常が発生しているか否かを判断し、異常が発生していないと判断した場合、加熱装置１２のＡＣヒータ１３およびＤＣヒータ１４への電力供給を指示する加熱制御信号３９を加熱装置制御部１８へ送信する。加熱装置制御部１８は、加熱制御信号３９を受信すると、リレーをオンし、ＡＣヒータ１３およびＤＣヒータ１４への電力供給を開始する。
【００８７】
そして、ＡＣ／ＤＣコンバータ２４の稼働が安定し、所定の電力が生成されるようになった時点で、ＤＣヒータ１４への電力供給を、蓄電部２６からＡＣ／ＤＣコンバータ２４へ切り替える。これにより、蓄電部２６の電力を有効的に使え、切り替えた瞬間の電力ドロップ等の影響もなくすことができる。そして、ＡＣヒータ１３およびＤＣヒータ１４により加熱ローラ１１が十分に加熱されると、ベルト定着ユニット１０の使用が可能となる。
【００８８】
このように、省エネモードから通常モードへの移行時に、ＡＣヒータ１３だけでなくＤＣヒータ１４も加熱することで、より多くの電力が加熱装置１２へ供給可能となり、加熱装置１２を早く加熱することができる。また、蓄電部２６から供給される電力はＤＣ電力であるため、ＤＣ電力をインバータ等にてＡＣ変換後に、ＡＣ電力でＡＣヒータ１３を加熱するのではなく、ＤＣ電力でＤＣヒータ１４を加熱するほうが、蓄電部２６の蓄電力を効率よく使用することができる。
【００８９】
また、蓄電部２６の蓄電力をＤＣヒータ１４へ供給する場合、蓄電部２６の充電（放電）電圧とＤＣヒータ１４の定格電圧とを同等にしておくのがよい。蓄電部２６から放電が開始されると蓄電部２６の放電電圧は徐々に下がるが、ＤＣヒータ１４を補助的な役割として使用することで電力の過剰供給等は発生しない。
【００９０】
なお、本実施の形態では、蓄電部２６からの放電電力を直接ＤＣヒータ１４へ供給しているが、定電圧生成回路３１により定電圧化された電力をＤＣヒータ１４へ供給してもよい。この場合、定電圧生成回路３１の出力電圧とＤＣヒータ１４の定格電圧とを同等にしておくと、定電圧生成回路３１が電力を生成している間、ＤＣヒータ１４へ電力を供給し続けることができる。
【００９１】
このように、第４の実施の形態にかかる画像形成装置によれば、省エネモードが解除されると、蓄電部の蓄電力を加熱装置のＤＣヒータへ供給することができるので、ベルト定着ユニットが使用可能になるまでの時間を短くすることができる。
【００９２】
（第５の実施の形態）
第５の実施の形態では、省エネモードが解除され通常モードへ移行する場合、ＡＣ／ＤＣコンバータが立ち上がるまでの間、加熱装置のＤＣヒータへ供給する蓄電部の蓄電力の電圧を監視する回路を備えている。第５の実施の形態について、添付図面を参照して説明する。本実施の形態にかかる画像形成装置の構成について、第４の実施の形態と異なる部分を説明する。他の部分については第４の実施の形態と同様であるので、同一の符号が付された箇所については、上述した説明を参照し、ここでの説明を省略する。
【００９３】
図１３は、第５の実施の形態にかかる画像形成装置における電力供給を示す機能図である。本実施の形態にかかる画像形成装置では、蓄電部２６からＤＣヒータ１４への放電電圧を監視する電圧監視回路４４が設けられ、サブ定着制御部４１と接続されている。なお、サブ定着制御部４１がない仕様の場合には、電圧監視回路４４は加熱装置制御部１８内の定着制御部２１ｂと接続される。
【００９４】
そして、蓄電部２６からの放電電圧が閾値より低くなった場合には、電圧監視回路４４からその旨を知らせる信号がサブ定着制御部４１へ送信され、サブ定着制御部４１は、加熱装置１２のＤＣヒータ１４への電力供給の停止を指示する加熱制御信号３９を加熱装置制御部１８へ送信する。なお、閾値は任意の値が設定可能である。そして、加熱装置制御部１８は、加熱制御信号３９を受信すると、リレーをオフし、ＡＣヒータ１３への電力供給を停止する。このように、蓄電部２６からＤＣヒータ１４へ放電する電力の量が多くなり、電圧値が低くなった場合に、ＤＣヒータ１４への電力供給を遮断することが可能となる。
【００９５】
このように、第５の実施の形態にかかる画像形成装置によれば、蓄電部からの放電電圧を監視することができるので、蓄電部からの放電電圧が低くなった場合に、ＤＣヒータへの電力供給を遮断することができる。
【００９６】
（第６の実施の形態）
第６の実施の形態では、省エネモードが解除され通常モードへ移行する場合、ＡＣ／ＤＣコンバータが立ち上がるまでの間、蓄電部の蓄電力を、サブ定着制御部および加熱装置のＤＣヒータへ供給するだけでなく、駆動系負荷へも供給する。第６の実施の形態について、添付図面を参照して説明する。本実施の形態にかかる画像形成装置の構成について、第５の実施の形態と異なる部分を説明する。他の部分については第５の実施の形態と同様であるので、同一の符号が付された箇所については、上述した説明を参照し、ここでの説明を省略する。
【００９７】
図１４は、第６の実施の形態にかかる画像形成装置における電力供給を示す機能図である。本実施の形態にかかる画像形成装置では、蓄電力供給回路３５は、定電圧生成回路３１からの電力を駆動系負荷２３へも供給できる設計となっている。
【００９８】
従って、本実施の形態では、省エネモードが解除されると、蓄電力供給回路３５は、画像形成装置制御部２１とサブ定着制御部４１だけでなく、駆動系負荷２３へも電力供給を開始する。そして、ＡＣ／ＤＣコンバータ２４の稼働が安定し、所定の電力が生成されるようになった時点で、駆動系負荷２３へ電力供給を、蓄電力供給回路３５（定電圧生成回路３１）からＡＣ／ＤＣコンバータ２４へ切り替える。これにより、駆動系負荷２３の立上げも早くすることできる。
【００９９】
このように、第６の実施の形態にかかる画像形成装置によれば、省エネモードが解除されると、蓄電部の蓄電力を駆動系負荷へ供給することができるので、画像形成装置が使用可能になるまでの時間を短くすることができる。
【０１００】
なお、本発明の画像形成装置は、複写機、プリンタ、スキャナ装置、ファクシミリ装置、または、コピー機能、プリンタ機能、スキャナ機能およびファクシミリ機能のうち少なくとも２つの機能を有する複合機のいずれにも適用することができる。
【図面の簡単な説明】
【０１０１】
【図１】第１の実施の形態にかかる画像形成装置のシステム構成を示すブロック図である。
【図２】ベルト定着ユニットの構成の概略を示す図である。
【図３】本実施の形態にかかる画像形成装置における電力供給を示す機能図である。
【図４】検知回路の回路図を示した図である。
【図５】省エネモードから通常モードへ移行する場合の電力供給の仕組みを説明するフローチャートである。
【図６】省エネモードから通常モードへ移行する場合の各部のタイミングチャートの一例を示す図である。
【図７】本実施の形態にかかる画像形成装置の電力供給の変形例を示す機能図である。
【図８】第２の実施の形態にかかる画像形成装置における電力供給を示す機能図である。
【図９】第３の実施の形態にかかる画像形成装置における電力供給を示す機能図である。
【図１０】蓄電力供給信号が一定周期で送信されている場合のトランジスタとサブ定着制御部の関係の一例を示す図である。
【図１１】省エネモードから通常モードへ移行する場合の各部のタイミングチャートの一例を示す図である。
【図１２】第４の実施の形態にかかる画像形成装置における電力供給を示す機能図である。
【図１３】第５の実施の形態にかかる画像形成装置における電力供給を示す機能図である。
【図１４】第６の実施の形態にかかる画像形成装置における電力供給を示す機能図である。
【符号の説明】
【０１０２】
１  コントローラ制御部
１ａ、２ａ、５ａ  ＣＰＵ
２  エンジン制御部
２ｂ  入出力ボード
３  スキャナ制御部
４  書き込み制御部
５  操作制御部
６  ＨＤＤ制御部
７  ＬＡＮインターフェース回路
８  電源電圧監視回路
９  リセット信号
１０  ベルト定着ユニット（定着部）
１１  加熱ローラ
１２  加熱装置
１３  ＡＣヒータ
１４  ＤＣヒータ
１５  定着ローラ
１６  加圧ローラ
１７  温度検知センサ
１８  加熱装置制御部
２１  画像形成装置制御部
２１ａ  省エネ制御部
２１ｂ  定着制御部
２２  ＡＤＦ制御部
２３  駆動系負荷
２４  ＡＣ／ＤＣコンバータ（定電圧回路）
２５  ＡＣ
２６  蓄電部
２７  充電電圧検出回路
２８  充電電流検出回路
２９  充電制御回路
３０  充電指示信号
３１  定電圧生成回路
３２  ＡＤＦ原稿検知スイッチ
３３  圧板開放検知スイッチ
３４  省エネ解除スイッチ
３５  蓄電力供給回路
３５ａ  トランジスタ
３６  省エネモード解除信号
３７  省エネモード電力
３８  定電圧制御信号
３９  加熱制御信号
４０  放電制御信号
４１  サブ定着制御部
４２  停止信号
４３  蓄電力供給信号
４４  電圧監視回路
【図１】
2010072055.tif 000003
【図２】
2010072055.tif 000004
【図３】
2010072055.tif 000005
【図４】
2010072055.tif 000006
【図５】
2010072055.tif 000007
【図６】
2010072055.tif 000008
【図７】
2010072055.tif 000009
【図８】
2010072055.tif 000010
【図９】
2010072055.tif 000011
【図１０】
2010072055.tif 000012
【図１１】
2010072055.tif 000013
【図１２】
2010072055.tif 000014
【図１３】
2010072055.tif 000015
【図１４】
2010072055.tif 000016